(57)【要約】【解決課題】従来の旅ノートへの記述を、旅行先で撮影した映像をインターネット上のＷＥＢサイトでの掲示という形態に置き換え、旅行から戻った後に閲覧できるようにする。【解決手段】映像撮影装置と、利用者識別情報記憶媒体からの利用者識別情報取得手段と、前記映像撮影装置により撮影された映像データと前記利用者識別情報取得手段より得られた利用者識別情報とを関連付けて格納するデータベース装置と、利用者の入力情報に基づく利用者識別情報から利用者を識別する入力情報識別手段と、利用者に関連付けられた映像をＷＥＢサイトに出力する映像出力手段と、を有する。【選択図】　図１
2004086827.tif 000002
【特許請求の範囲】
【請求項１】
インターネット上で実現する映像による旅ノートシステムであって、映像撮影装置と、利用者識別情報記憶媒体からの利用者識別情報取得手段と、前期映像撮影装置により撮影された映像データと前期利用者識別情報取得手段より得られた利用者識別情報とを関連付けて格納するデータベース装置と、利用者の入力に基づく利用者識別情報から利用者を識別する利用者識別手段と、利用者に関連付けられた映像をＷＥＢサイトに出力するＷＥＢサーバ装置と、を有することを特徴とするインターネット映像旅ノートシステム。
【請求項２】
上記利用者識別情報記憶媒体が、磁気カード又はＩＣカードである請求項１記載のインターネット映像旅ノートシステム。
【請求項３】
上記映像撮影装置は、観光地、行楽地等に設置され、固有の映像装置識別番号を有し、有線又は無線の通信回線を介して前記データベース装置と接続されており、利用者による映像の撮影及びデータベース装置への格納の動作指示入力を判別し、映像の撮影とデータベース装置への格納を行うことを特徴とする請求項１又は２に記載のインターネット映像旅ノートシステム。
【請求項４】
上記映像撮影装置は、撮影時に、設置された地点に特有のマーク、設置された地点の地名、撮影日付等の付加情報を映像上の適切な箇所に合成付加し、映像が撮影された地点、撮影日付を特定可能にすることを特徴とする請求項１〜３の何れかに記載のインターネット映像旅ノートシステム。
【請求項５】
上記ＷＥＢサイトが利用者の映像に関する情報をリスト表示、又は地図上のマークとして表示する請求項１〜４の何れかに記載のインターネット映像旅ノートシステム。
【発明の詳細な説明】
【０００１】
【発明の属する技術分野】
この発明は観光地等に設置された映像撮影装置により撮影された利用者の映像をインターネット上のＷＥＢサイトに掲示し、映像による旅ノートを構成するサービスに用いるシステムに関するものである。
【０００２】
【従来の技術】
従来から、旅行者は旅行先の観光地や旅館等に設置された旅ノートと称されるノートに、その地を訪れたことを記念して感想等を綴ってきた。これは自分自身がその地を訪れた足跡を残したいという旅行者特有の心理に基づく行動である。旅行先での滞在は一時的なものでしかないが、そうした旅ノートとそこに自らが記述したという事実の存在が、旅行から戻った後も旅行をしたという実感を旅行者に与えるものと考えられる。
【０００３】
【発明が解決しようとする課題】
しかしながら、従来からの旅ノートであれば、その内容を確かめるためには再度旅行先に訪れなければならない。「行かなければ確認できない」からこそ旅情を誘う面は否定できないが、自分が旅ノートに記述した内容を旅行から戻った後に再度読み直してみたいと思う場合も多いであろう。
【０００４】
そこで、この発明は従来の旅ノートへの記述を、映像の撮影と撮影された映像のインターネット上のＷＥＢサイトでの掲示という形態に置き換え、旅行先や行楽地等で撮影した映像を、旅行から戻った後に閲覧できるようにすることを目的とするものである。
【０００５】
【課題を解決するための手段】
以上の課題を解決するために、本発明は、インターネット上で実現する映像による旅ノートシステムであって、映像撮影装置と、利用者識別情報記憶媒体からの利用者識別情報取得手段と、撮影された映像と利用者識別情報を関連付けて格納する手段と、利用者の入力に基づく利用者識別情報から利用者を識別する手段と、利用者に対応付けられた映像をＷＥＢサイトに出力する手段を有することを特徴とする。
【０００６】
上記利用者識別情報記憶媒体は、磁気カード、ＩＣカードであることが好ましい。
【０００７】
上記映像撮影装置は、観光地、行楽地等に設置され、固有の映像装置識別番号を有し、有線または無線の通信回線を介したデータ通信機能を有し、映像と利用者識別情報を格納するデータベース装置に接続されており、利用者による映像の撮影及びデータベース装置への格納の動作指示入力を判別し、映像の撮影とデータベース装置への格納を行うことが好ましい。
【０００８】
上記映像撮影装置は、撮影時に、設置された地点に特有のマーク、設置された地点の地名、撮影日付等の付加情報を映像上の適切な箇所に合成付加し、映像が撮影された地点、撮影日付を特定可能にすることが好ましい。
【０００９】
上記ＷＥＢサイトが利用者の映像に関する情報をリスト表示、または地図上のマークとして表示することが好ましい。
【００１０】
【発明の実施の形態】
以下に図面を参照しながらこの発明の実施の形態について説明する。図１はこの発明をブロック図で示したものである。
【００１１】
観光地や行楽地等に１台または２台以上設置された映像撮影装置１０３は利用者１０１から提示される利用者識別情報記憶媒体１０２から利用者識別情報を取得する。利用者識別情報記憶媒体１０２は、磁気カード又はＩＣカードとすることができ、この場合、映像撮影装置１０３は利用者識別情報取得手段としてカード読み取り装置を有することとなる。
【００１２】
映像撮影装置１０３は利用者１０１からの映像撮影動作指示の入力を判別し、映像の撮影を行う。利用者の接近を自動判別するなどして、自動撮影を行うものではない。これは本発明の趣旨が旅ノートであり、利用者の自発的な利用の意思に基づいて提供されるサービスを目指すものであるためである。また、利用者の自発的な利用の意思に基づくことにより、利用者の肖像権の保護するものである。
【００１３】
映像撮影装置１０３は映像の撮影後、利用者からの映像データ格納動作指示の入力を判別し、映像データを映像データベース装置に格納する。映像撮影装置１０３はデータ通信機能により有線または無線の通信回線を通じて映像データベース装置１０４に接続し、映像データと撮影日付等の映像情報と利用者識別情報と映像撮影装置識別情報を映像データベース装置１０４に格納する。映像装置識別情報とは各映像撮影装置１０３が固有に有する識別番号を意味し、撮影された映像がどの映像撮影装置１０３で撮影されたものかを特定するための情報である。
【００１４】
映像撮影装置識別情報は別途設置された映像撮影装置識別情報データベース装置１０５に格納された情報と対応づけられるもので、映像撮影装置１０３が設置された地域を特定し、旅ノートＷＥＢサイト１１０上で映像データの有無を地図上のマークとして表示するための地域検索に利用するものである。
【００１５】
インターネット１０８上に構築された旅ノートＷＥＢサイト１１０ではインターネット端末１１１から利用者識別情報記憶媒体１１２を参照した利用者１１３により入力された利用者識別情報をＷＥＢサーバ装置１０６に転送し、ＷＥＢサーバ装置１０６は別途設置された利用者識別情報データベース装置１０７に対し、入力された利用者識別情報に該当する利用者の有無を問い合わせる。利用者識別情報データベース装置１０７は該当する利用者の有無をＷＥＢサーバ装置１０６に回答し、利用者の判別を行う。
【００１６】
該当する利用者が存在する場合にはＷＥＢサーバ装置１０６は映像データベース装置１０４に対し映像情報の検索要求を出し、映像データベース装置１０４は該当する映像情報をＷＥＢサーバ装置１０６に返す。
【００１７】
映像情報を受け取ったＷＥＢサーバ装置１０６はそれらの情報をもとにＷＥＢページを構成し、旅ノートＷＥＢサイト１１０上のページとして表示する。
【００１８】
また旅ノートＷＥＢサイト１１０ではインターネット端末１１１から入力された映像出力要求をＷＥＢサーバ装置１０６に転送し、ＷＥＢサーバ装置１０６は映像データベース装置１０４に対して映像出力要求を出す。
【００１９】
映像出力要求を受けた映像データベース装置１０４は該当する映像を抽出し、ＷＥＢサーバ装置１０６に映像を出力する。
【００２０】
ＷＥＢサーバ装置１０６は映像データベース装置１０４の出力をもとにＷＥＢページを構成し、旅ノートＷＥＢサイト１１０上のページとして表示する。
【００２１】
図２は映像撮影装置１０３の動作フロー図である。利用者１０１からの動作開始指示待機２０１の状態にある映像撮影装置１０３は、利用者１０１による動作開始指示２０２を判別し、利用者１０１に対し利用者識別情報記憶媒体挿入を要求２０３するとともに、利用者識別情報記憶媒体挿入待機２０４に移行する。既定秒数が経過２０６しても利用者識別情報記憶媒体挿入２０７がなされない場合には、動作開始指示２０２が放棄されたものと見なし、動作開始指示待機２０１に戻る。また利用者１０１による利用者識別情報記憶媒体挿入のキャンセル指示２０５がなされた場合にも同様に動作開始指示待機２０１に戻る。
【００２２】
利用者１０１による利用者識別情報記憶媒体挿入２０７を判別した場合には、利用者識別情報記憶媒体１０２から利用者識別情報を取得２０８し、その後、利用者１０１に対し利用者識別情報記憶媒体取出を要求２０９するとともに、利用者識別情報記憶媒体取出待機２１０に移行する。
【００２３】
利用者１０１による利用者識別情報記憶媒体取出２１１を判別した場合には、利用者１０１に対し撮影開始指示を要求２１２するとともに、撮影開始指示待機２１３に移行する。既定秒数が経過２１５しても撮影開始指示２１６がなされない場合には、撮影開始が放棄されたものと見なし、動作開始指示待機２０１に戻る。また利用者１０１による撮影開始のキャンセル指示２１４がなされた場合にも、同様に動作開始指示待機２０１に戻る。
【００２４】
利用者１０１による撮影開始指示２１６を判別した場合には、あらかじめ定められた時間の撮影２１７を行う。撮影終了後、利用者１０１に対し映像データ格納指示を要求２１８するとともに、映像データ格納指示待機２１９に移行する。既定秒数が経過２２１しても映像データ格納指示２２２がなされない場合には、映像データ格納が放棄されたものと見なし、動作開始指示待機２０１に戻る。また利用者１０１による映像データ格納のキャンセル指示２２０がなされた場合にも、同様に動作開始指示待機２０１に戻る。
【００２５】
利用者１０１による映像データベース格納指示２２２を判別した場合には、有線又は無線によるネットワークを介して映像データベース装置１０４への接続を確立２２３し、映像データ、映像情報、利用者識別情報及び映像装置識別情報を映像データベース装置に格納２２４する。その後、映像データベース装置１０４との接続を遮断２２５し、利用者１０１に対し映像データ格納が完了したことを明示２２６するとともに、既定秒数経過後２２７に動作開始指示待機２０１に戻る。
【００２６】
図３は映像撮影装置１０３で撮影および合成された映像である。映像撮影装置１０３では映像撮影時に、利用者の映像３０１に撮影日付３０２や撮影された地点を示す文字列３０３、撮影された地点を象徴するマーク３０４等を付加合成し、当該映像がいつ、どこで撮影されたものかを視覚的に利用者にわかりやすいものとする。
【００２７】
図４は映像データベース装置１０４の主たるデータ構成を示すものである。各映像撮影装置１０３で撮影された映像データ４０２は、固有の整理番号４０１を付加され、利用者識別情報４０３、映像撮影装置識別情報４０４、撮影日付４０５、その他関連情報とともに映像データベースに格納される。
【００２８】
図５は利用者識別情報データベース装置１０７の主たるデータ構成を示すものである。利用者識別情報は利用者が本システムを利用する事前に登録されたものであり、利用者が映像の撮影を行う際の本人特定と旅ノートＷＥＢサイト１１０で各自の映像を閲覧する際の本人特定に用いる。利用者識別情報５０１、本人特定のためのパスワード５０２、名前５０３、メールアドレス５０４、その他関連情報からなる。
【００２９】
図６は映像撮影装置識別情報データベース装置１０５の主たるデータ構成を示すものである。映像撮影装置識別情報は利用者が映像を撮影した映像撮影装置１０３を特定するための情報で、利用者が旅ノートＷＥＢサイト１１０上で映像の検索を行う際に、撮影された映像の有無を地図上に配置された映像撮影装置１０３のマークとして表示し、利用者に映像の有無を視覚的に把握させるためのものである。映像撮影装置識別情報６０１、地域情報６０２、その他関連情報からなる。
【００３０】
図７は旅ノートＷＥＢサイト１１０上で利用者の映像の有無を地図上に模式的に示した図の例である。地図上に各地に設置された映像撮影装置１０３をマーク７０１として配置し、利用者によって映像が撮影された映像撮影装置１０３については色又は柄を変更し表示７０２している。これにより利用者１１３は自分が旅行した経路に沿って映像を確認することが可能になる。
【００３１】
この実施形態によれば、利用者は事前に利用者としての登録を行い、利用者識別情報媒体を所持していることで、各地の観光地や行楽地で自ら映像を撮影し、それらの映像が各地固有のマーク等を付加され、旅行後にインターネットを介して自らが各地に残してきた足跡をたどることが可能になる。
【００２８】
【発明の効果】
以上説明したように、この発明によれば、旅行者は各地を旅行した際に自らが撮影した映像を旅行後に閲覧することで、従来の旅ノートでは再度訪れなければ見ることができなかった旅行先での足跡を旅行後に閲覧することができ、旅情を感じることができる。
【図面の簡単な説明】
【図１】インターネット映像旅ノートシステムの構成概略図である。
【図２】映像撮影装置の動作フロー図である。
【図３】映像撮影装置で撮影および合成された映像例図である。
【図４】映像データベースのデータ構成図である。
【図５】利用者識別情報データベースのデータ構成図である。
【図６】映像撮影情報識別データベースのデータ構成図である。
【図７】旅ノートＷＥＢサイトでの地図表示例図である。
【符号の説明】
１０１　利用者
１０２　利用者識別情報記憶媒体
１０３　映像撮影装置
１０４　映像データベース装置
１０５　映像撮影装置識別情報データベース装置
１０６　ＷＥＢサーバ装置
１０７　利用者識別情報データベース装置
１０８　インターネット網
１０９　一般ＷＥＢサイト
１１０　旅ノートＷＥＢサイト
１１１　インターネット端末
１１２　利用者識別情報記憶媒体
１１３　利用者
２０１　動作開始指示待機
２０２　動作開始指示
２０３　利用者識別情報記憶媒体挿入要求
２０４　利用者識別情報記憶媒体挿入待機
２０５　キャンセル指示
２０６　既定秒数経過
２０７　利用者識別情報記憶媒体挿入
２０８　利用者識別情報取得
２０９　利用者識別情報記憶媒体取出要求
２１０　利用者識別情報記憶媒体取出待機
２１１　利用者識別情報記憶媒体取出
２１２　撮影開始指示要求
２１３　撮影開始指示待機
２１４　キャンセル指示
２１５　既定秒数経過
２１６　撮影開始指示
２１７　映像撮影
２１８　映像データ格納指示要求
２１９　映像データ格納指示待機
２２０　キャンセル指示
２２１　既定秒数経過
２２２　映像データ格納指示
２２３　映像データベース装置との接続確立
２２４　映像データベース装置に映像データ等を格納
２２５　映像データベース装置との接続を遮断
２２６　映像データ格納完了明示
２２７　既定秒数経過
３０１　利用者の映像
３０２　撮影日付
３０３　撮影地点を特定する文字列
３０４　撮影地点を特定するマーク
４０１　整理番号データ列
４０２　映像データデータ列
４０３　利用者識別情報データ列
４０４　映像撮影装置識別情報データ列
４０５　撮影日付データ列
５０１　利用者識別情報データ列
５０２　パスワードデータ列
５０３　名前データ列
５０４　メールアドレスデータ列
６０１　映像撮影装置識別情報データ列
６０２　地域番号データ列
７０１　映像撮影装置設置地点マーク
７０２　映像撮影地点マーク
【図１】
2004086827.tif 000003
【図２】
2004086827.tif 000004
【図３】
2004086827.tif 000005
【図４】
2004086827.tif 000006
【図５】
2004086827.tif 000007
【図６】
2004086827.tif 000008
【図７】
2004086827.tif 000009